(57)【特許請求の範囲】
【請求項１】
プラスチックボトルにおいて、
円筒状の口部と、
四角筒状の胴部と、
口部と胴部との間に配置された肩部と、
胴部下方の底部とを備え、
肩部は４つの肩部傾斜面をもつ切頭四角すい形状を有し、各肩部傾斜面間の肩部境界面に、内方へ引込む三角形断面をもつ細長状谷部を設けるとともに、各肩部傾斜面に外方へ突出する三角形断面をもつ複数の細長状山部を設け、
細長状谷部と細長状山部は平面からみて放射状に形成されていることを特徴とするプラスチックボトル。
【請求項２】
肩部と胴部との間に水平方向に延びるとともに傾斜する環状傾斜面が形成され、各細長状谷部はこの環状傾斜面に対して内方へ引込み、各細長状山部は環状傾斜面に対して外方へ突出することを特徴とする請求項１記載のプラスチックボトル。
【請求項３】
胴部上に、上下方向に延びる破断線をもつラベルが貼付けられ、
ラベルの破断線はいずれかの細長状谷部に対応して配置されていることを特徴とする請求項１または２のいずれか記載のプラスチックボトル。
【発明の詳細な説明】
【技術分野】
【０００１】
本発明は、肩部の強度を上昇させることができるプラスチックボトルに関する。
【背景技術】
【０００２】
近時、飲料用等のボトルとして、プラスチック製のものが一般化してきており、このようなプラスチック製ボトルにはラベルが貼り付けられている。
【０００３】
プラスチックボトルは内容物を充填した後、積み重ねて貯蔵されるが、この場合、プラスチックボトル全体、とりわけ肩部の上下方向の強度向上が求められている。
【先行技術文献】
【特許文献】
【０００４】
【特許文献１】実開昭５６−１１８８０６号
【発明の概要】
【発明が解決しようとする課題】
【０００５】
本発明はこのような点を考慮してなされたものであり、プラスチックボトルのとりわけ肩部における強度を向上させることができるプラスチックボトルを提供することを目的とする。
【課題を解決するための手段】
【０００６】
本発明は、プラスチックボトルにおいて、円筒状の口部と、四角筒状の胴部と、口部と胴部との間に配置された肩部と、胴部下方の底部とを備え、肩部は４つの肩部傾斜面をもつ切頭四角すい形状を有し、各肩部傾斜面間の肩部境界面に、内方へ引込む三角形断面をもつ細長状谷部を設けるとともに、各肩部傾斜面に外方へ突出する三角形断面をもつ複数の細長状山部を設け、細長状谷部と細長状山部は平面からみて放射状に形成されていることを特徴とするプラスチックボトルである。
【０００７】
本発明は、肩部と胴部との間に水平方向に延びるとともに傾斜する環状傾斜面が形成され、各細長状谷部はこの環状傾斜面に対して内方へ引込み、各細長状山部は環状傾斜面に対して外方へ突出することを特徴とするプラスチックボトルである。
【０００８】
本発明は、胴部上に、上下方向に延びる破断線をもつラベルが貼付けられ、ラベルの破断線はいずれかの細長状谷部に対応して配置されていることをプラスチックボトルである。
【発明の効果】
【０００９】
本発明によれば、肩部の傾斜面に設けられた細長状山部と境界面に設けられた細長状谷部とにより、肩部の上下方向に沿う強度を上昇させることができる。
【図面の簡単な説明】
【００１０】
【図１】図１は、本発明の一実施の形態によるプラスチックボトルを示す正面図。
【図２】図２は、本発明の一実施の形態によるプラスチックボトルを示す斜視図。
【図３】図３は、本発明の一実施の形態によるプラスチックボトルを示す底面図。
【図４】図４は、本発明の一実施の形態によるプラスチックボトルを示す上面図。
【図５】図５は、本発明の一実施の形態によるプラスチックボトル上にラベルを貼付した状態を示す図。
【図６】図６は、本発明の一実施の形態によるプラスチックボトルの肩部を示す拡大斜視図。
【発明を実施するための形態】
【００１１】
以下、図面を参照して本発明の一実施の形態について説明する。図１乃至図６は本発明の一実施の形態を示す図である。
【００１２】
まず、図１乃至図６により、本実施の形態によるプラスチックボトルの概要について説明する。
【００１３】
プラスチックボトル１０は、口部１１と、口部１１下方に設けられた肩部１２と、肩部１２下方に設けられた胴部２０と、胴部２０下方に設けられた底部３０とを備えている。
【００１４】
このうち胴部２０は、互いに同一の形状からなる４つの側面２１を有しており、全体として四角筒形状からなっている。また隣接する側面２１同士の間には、それぞれ平坦な胴部境界面２２が形成されている。
【００１５】
また胴部２０の４つの側面２１は、内側へ（ボトル１０の内方へ）引込む側面水平凹状リブ２４ａを介して上方領域２１ａと、下方領域２１ｂとに区画されている。また各胴部境界面２２も内側へ（ボトル１０の内方へ）引込む境界面水平凹状リブ２４ｂを介して上方領域２２ａと、下方領域２２ｂとに区画されている。
【００１６】
このうち側面水平凹状リブ２４ａと境界面水平凹状リブ２４ｂとによって水平凹状リブ２４が構成されている。
【００１７】
また、胴部２０の各側面２１の上方領域２１ａおよび下方領域２１ｂには、各々平板状のパネル部２３が設けられ、このパネル部２３によってプラスチックボトル１０内の膨張時および減圧時にプラスチックボトル１０に加わる圧力を吸収している。
【００１８】
さらにまた、底部３０は周縁部３１と、周縁部３１の中央に位置するとともに周縁部３１より上方へ持上げられた中央部３２とを有し、中央部３２と周縁部３１との間に、円周状に延びる中間部３３が介在されている。
【００１９】
次に図１、図２および図６により、プラスチックボトル１０の肩部１２の構成を詳述する。
【００２０】
図１、図２および図６に示すように、プラスチックボトル１０の肩部１２は、口部１１と胴部２０との間に形成されるとともに、４つの肩部傾斜面１２Ａを有し、全体として切頭四角すい形状をもっている。
【００２１】
また各肩部傾斜面１２Ａ間には肩部境界面１２Ｂが形成されている。このうち各肩部傾斜面１２Ａは胴部２０の側面２１に対応して形成され、各肩部境界面１２Ｂは胴部２０の胴部境界面２２に対応して形成されている。
【００２２】
また各肩部傾斜面１２Ａには外方へ突出するとともに三角形断面をもつ複数、例えば４本の細長状山部１６が設けられ、各肩部境界面１２Ｂには内方へ突出するとともに三角形断面をもつ細長状谷部１５が設けられてる。
【００２３】
ところで各肩部傾斜面１２Ａに形成された４本の細長状山部１６および各肩部境界面１２Ｂに形成された細長状谷部１５は、平面上全体として放射状に配置されている（図３参照）。
【００２４】
また肩部１２と胴部２０との間には、水平方向に延びるとともに傾斜する環状傾斜面１３が形成されており、各肩部傾斜面１２Ａに設けられた４本の細長状山部１６はこの環状傾斜面１３を基準として外方へ突出している。また各肩部境界面１２Ｂに設けられた細長状谷部１５は、環状傾斜面１３を基準として内方へ引込んでいる。
【００２５】
このようなプラスチックボトル１０は、合成樹脂材料を射出成形して製作したプリフォームを二軸延伸ブロー成形することにより作製することができる。なおプリフォームすなわちプラスチックボトル１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を使用する事が好ましい。
【００２６】
また、プラスチックボトル１０は、２層以上の多層成形ボトルとして形成することもできる。即ち押し出し成形または射出成形により、例えば、中間層をＭＸＤ６、ＭＸＤ６＋脂肪酸塩、ＰＧＡ（ポリグリコール酸）、ＥＶＯＨ（エチレンビニルアルコール共重合体）又はＰＥＮ（ポリエチレンナフタレート）等のガスバリア性及び遮光性を有する樹脂（中間層）として３層以上からなるプリフォームを押出成形後、吹込成形することによりガスバリア性及び遮光性を有する多層ボトルを形成しても良い。なお、このような中間層は、プラスチックボトル１０のうち少なくとも胴部２０内に設けることが好ましい。また底部３０において、底部３０の中央部を除く領域に中間層を設けることが好ましい。ケース落下等の衝撃を受けた際この部分がデラミ（層間剥離）を起こすおそれがあるからである。ガスバリア性及び遮光性を有する為に、多層にするだけでなく熱可塑性樹脂同士をブレンドしたブレンドボトルを形成しても良い。
【００２７】
次にこのような構成からなる本実施の形態の作用について説明する。
【００２８】
まずプラスチックボトル１０内に、例えば緑茶、コーヒー等の内容液を充填し、その後これを密栓する。
【００２９】
この場合、プラスチックボトル１０の底部３０の中央部３２を押し棒（図示せず）により押し上げた状態で、内容液がプラスチックボトル１０内に充填される。
【００３０】
次に口部１１をキャップ（図示せず）により密栓した後、胴部２０周囲にシュリンクフィルム等のラベルＬを付す（図５参照）。なお、図５において、便宜上、プラスチックボトル１０はキャップが取除かれて示されている。
【００３１】
内容液が充填されたプラスチックボトル１０は積み上げられて貯蔵され、あるいは搬送される。このため内容液が充填されたプラスチックボトル１０に対して貯蔵中あるいは搬送中に上下方向に大きな荷重が加わることも考えられる。
【００３２】
本発明によれば、肩部１２の各肩部傾斜面１２Ａに４本の細長状山部１６を設け、各肩部境界面１２Ｂに細長状谷部１５を設け、これら細長状山部１６および細長状谷部１５が平面上放射状をなすよう形成されているので、肩部１２に加わる荷重に対して細長状山部１６および細長状谷部１５が補強リブとして機能する。このため肩部１２に加わる上下方向の荷重をこれら細長状山部１６と細長状谷部１５とにより確実に受けることができ、肩部１２の上下方向に沿う強度を向上させることができる。
【符号の説明】
【００３３】
１０  プラスチックボトル
１１  口部
１２  肩部
１２Ａ  肩部傾斜面
１２Ｂ  肩部境界面
１３  環状傾斜面
１５  細長状谷部
１６  細長状山部
２０  胴部
２１  側面
２１ａ  上方領域
２１ｂ  下方領域
２２  境界面
２３  パネル部
２４  水平凹状リブ
２４ａ  側面水平凹状リブ
２４ｂ  境界面水平凹状リブ
３０  底部
Ｌ  ラベル
Ｌ１破断線
【図１】
0005858339.tif 000002
【図２】
0005858339.tif 000003
【図３】
0005858339.tif 000004
【図４】
0005858339.tif 000005
【図５】
0005858339.tif 000006
【図６】
0005858339.tif 000007